(57)【特許請求の範囲】
【請求項１】
電子機器に無線で電力を供給する無線電力伝送手段と、
前記電子機器とのデータ通信を行う第１の通信手段と、
前記電子機器と通信する第２の通信手段と、
前記第２の通信手段により前記電子機器から前記電子機器のステータス情報を取得する取得手段と、
前記取得手段により取得したステータス情報が更新されているか否か判断する判断手段と、
前記判断手段により、前記取得手段により取得したステータス情報が更新されていると判断された場合、前記取得手段により取得したステータス情報に基づき、前記第１の通信手段によるデータ通信と、前記無線電力伝送手段による電力供給とのどちらを実行するかを制御し、
前記判断手段により、前記取得手段により取得したステータス情報が更新されていないと判断された場合、前記取得手段により取得したステータス情報に基づき前記電力供給を制御する制御手段と
を有することを特徴とする送電装置。
【請求項２】
前記取得手段により取得されたステータス情報から、前記電子機器が更新されたデータを記録しているか否かを確認する第１の確認手段と、
前記ステータス情報から前記電子機器の電力の残量を確認する第２の確認手段と
を有し、
前記制御手段は、前記第１の確認手段及び前記第２の確認手段による確認の結果に基づいて、前記第１の通信手段によるデータ通信と、前記無線電力伝送手段による電力供給とのどちらを実行するかを制御することを特徴とする請求項１に記載の送電装置。
【請求項３】
前記第１の確認手段により前記更新されたデータがあることが確認され、かつ前記第２の確認手段により前記電力の残量が所定値より大きいことが確認された場合に、前記制御手段は、前記第１の通信手段によるデータ通信を行うように制御することを特徴とする請求項２に記載の送電装置。
【請求項４】
前記第１の確認手段により前記更新されたデータがないことが確認された場合、または前記第２の確認手段により前記電力の残量が所定値以下であることが確認された場合に、前記制御手段は、前記無線電力伝送手段による電力供給を行うように制御することを特徴とする請求項２に記載の送電装置。
【請求項５】
前記取得手段は、前記第２の通信手段により前記電子機器から、前記無線電力伝送手段による電力供給を用いて前記第１の通信手段によるデータ通信が可能であるか否かの情報を含む機器情報をさらに取得し、
前記機器情報が前記無線電力伝送手段による電力供給を用いて前記第１の通信手段による通信が可能でない情報を含む場合に、前記制御手段は、前記第１の通信手段によるデータ通信と前記無線電力伝送手段による電力供給とのうち、いずれか一方を行うように制御し、
前記機器情報が前記無線電力伝送手段による電力供給を用いて前記第１の通信手段による通信が可能である情報を含む場合に、前記制御手段は、前記第１の通信手段によるデータ通信と前記無線電力伝送手段による電力供給とを並行して行うことを特徴とする請求項３または４に記載の送電装置。
【請求項６】
前記ステータス情報は、取り外し可能な記録媒体の接続の有無、取り外し可能な記録媒体を格納する蓋の開閉状態、前記第１の通信手段によるデータ通信の状態のうち少なくともいずれかの情報を含み、前記取り外し可能な記録媒体の接続がない場合、前記取り外し可能な記録媒体を格納する蓋が開いている場合、及び前記第１の通信手段によるデータ通信が無効に設定されている場合のうち、少なくともいずれか一つを満たす場合に、前記制御手段は、前記無線電力伝送手段による電力供給を行うように制御することを特徴とする請求項１に記載の送電装置。
【請求項７】
前記ステータス情報は、電池の有無、及び前記電池を格納する蓋の開閉状態の情報を含み、
前記電池があり、かつ前記電池を格納する蓋が閉じている場合に、前記制御手段は、前記無線電力伝送手段による電力供給を行うように制御することを特徴とする請求項６に記載の送電装置。
【請求項８】
前記第１の通信手段と前記第２の通信手段とが同一の通信方式であることを特徴とする請求項１から７のいずれか１項に記載の送電装置。
【請求項９】
前記制御手段は、前記第２の通信手段により、前記第１の通信手段による前記電子機器との接続を確立するペアリング処理を行うことを特徴とする請求項１から７のいずれか１項に記載の送電装置。
【請求項１０】
電子機器に無線で電力を供給する無線電力伝送手段と、前記電子機器とのデータ通信を行う第１の通信手段と、前記電子機器と通信する第２の通信手段とを有する送電装置の制御方法であって、
前記第２の通信手段により前記電子機器から前記電子機器のステータス情報を取得する取得ステップと、
前記取得ステップにより取得したステータス情報が更新されているか否か判断する判断ステップと、
前記判断ステップにより、前記取得ステップにより取得したステータス情報が更新されていると判断された場合、前記取得ステップにより取得したステータス情報に基づき、前記第１の通信手段によるデータ通信と、前記無線電力伝送手段による電力供給とのどちらを実行するかを制御し、
前記判断ステップにより、前記取得ステップにより取得したステータス情報が更新されていないと判断された場合、前記取得ステップにより取得したステータス情報に基づき前記電力供給を制御する制御ステップと
を有することを特徴とする制御方法。
【請求項１１】
コンピュータを、請求項１から９のいずれか１項に記載の送電装置の各手段として機能させるためのコンピュータが読み取り可能なプログラム。
【発明の詳細な説明】
【技術分野】
【０００１】
本発明は、無線通信可能な送電装置、制御方法及びプログラムに関する。
【背景技術】
【０００２】
電磁界共鳴現象または電磁誘導現象を利用して無線で電力を伝送する無線電力伝送システムが知られている。無線電力伝送を行う送電装置の中には、無線通信機能を有するものが存在する（特許文献１参照）。特許文献１には、他の通信装置が、無線電力伝送及び無線通信の両方を行うことができる装置であるか否かを判定する方法が記載されている。
【先行技術文献】
【特許文献】
【０００３】
【特許文献１】特開２００７−３２５３３９号公報
【発明の概要】
【発明が解決しようとする課題】
【０００４】
しかしながら、無線電力伝送及び無線通信の両方を行うことができる送電装置であっても、受電装置の状態等によっては、無線電力伝送と無線通信の両方を並行して行うできない場合がある。この場合、無線電力伝送と無線通信のうちのどちらを優先的に行うかを送電装置で制御できるようにすることが求められる。
【０００５】
そこで、本発明は、無線電力伝送及び無線通信の両方を行うことができる場合に、無線電力伝送と無線通信のうちのどちらを優先的に行うかを制御できるようにすることを目的とする。
【課題を解決するための手段】
【０００６】
本発明に係る送電装置は、電子機器に無線で電力を供給する無線電力伝送手段と、前記電子機器とのデータ通信を行う第１の通信手段と、前記電子機器と通信する第２の通信手段と、前記第２の通信手段により前記電子機器から前記電子機器のステータス情報を取得する取得手段と、前記取得手段により取得したステータス情報が更新されているか否か判断する判断手段と、前記判断手段により、前記取得手段により取得したステータス情報が更新されていると判断された場合、前記取得手段により取得したステータス情報に基づき、前記第１の通信手段によるデータ通信と、前記無線電力伝送手段による電力供給とのどちらを実行するかを制御し、前記判断手段により、前記取得手段により取得したステータス情報が更新されていないと判断された場合、前記取得手段により取得したステータス情報に基づき前記電力供給を制御する制御手段とを有することを特徴とする。
【発明の効果】
【０００７】
本発明によれば、無線電力伝送及び無線通信の両方を行うことができる場合に、無線電力伝送と無線通信のうちのどちらを優先的に行うかを制御することができる。
【図面の簡単な説明】
【０００８】
【図１】実施形態１における無線電力伝送システムの一例を説明するための図である。
【図２】送電装置１００が有する複数の構成要素の一例と電子機器２００が有する複数の構成要素の一例とを説明するためのブロック図を示す図である。
【図３】送電装置１００で行われる送電装置制御処理の一例を説明するためのフローチャートである。
【図４】送電装置１００が送電処理と無線通信処理のうちのどちらを行うかを判定するための判定処理の一例を説明するためのフローチャートである。
【図５】送電装置１００が送電処理と無線通信処理のうちのどちらを行うかを判定するための判定処理の別の例を説明するためのフローチャートである。
【図６】電子機器２００で行われる受電装置制御処理の一例を説明するためのフローチャートである。
【図７】電子機器２００で行われる無線通信処理の一例を説明するためのフローチャートである。
【図８】電子機器２００で行われる受電処理の一例を説明するためのフローチャートである。
【発明を実施するための形態】
【０００９】
以下、図面を参照して本発明の実施形態を説明する。ただし、本発明の実施形態は以下の実施形態に限定されるものではない。
【００１０】
［実施形態１］
図１は、実施形態１における無線電力伝送システムの一例を説明するための図である。
図１に示すように、無線電力伝送システムは、送電装置１００と電子機器２００とを有する。送電装置１００は、電子機器２００に無線で電力を供給する電力供給装置として動作することができる。電子機器２００は、送電装置１００から送電された電力を受ける受電装置として動作することができる。
【００１１】
実施形態１における無線電力伝送システムにおいて、電子機器２００が送電装置１００の上に置かれている場合、送電装置１００は、アンテナを介して電子機器２００に無線により通信及び送電を行う。送電装置１００と電子機器２００との距離が所定の範囲内に存在する場合において、アンテナを有する電子機器２００は、アンテナを介して送電装置１００から出力される電力を無線により受け付ける。さらに、電子機器２００は、アンテナを介して送電装置１００から受け付けた電力によって、電子機器２００に接続されている電池を充電することができる。
【００１２】
送電装置１００と電子機器２００との距離が所定の範囲内に存在しない場合、電子機器２００は、アンテナを有している場合であっても、送電装置１００と通信することができない。なお、所定の範囲とは、電子機器２００が送電装置１００から供給される電力によって、通信を行うことができる範囲である。
なお、送電装置１００は複数の電子機器に対しても、並行して電力を無線で供給することができるものとする。
【００１３】
電子機器２００は、スマートフォン、デジタルカメラ、カメラ付き携帯電話、デジタルビデオカメラ等の撮像装置であってもよい。電子機器２００は、音声データまたは画像データの再生を行う再生装置であってもよい。電子機器２００は、車のような移動装置であってもよい。電子機器２００は、電子機器２００に電池が接続されていない場合には、送電装置１００から供給される電力によって動作する電子機器であってもよい。
【００１４】
図２は、送電装置１００が有する複数の構成要素の一例と電子機器２００が有する複数の複数の構成要素の一例とを説明するためのブロック図である。
図２に示すように、送電装置１００は、発振器１０１と、電力送信回路１０２と、整合回路１０３と、近接無線通信部１０４と、ＣＰＵ（Ｃｅｎｔｒａｌ  Ｐｒｏｃｅｓｓｉｎｇ  Ｕｎｉｔ）１０５と、第１のメモリ１０６と、第２のメモリ１０７とを有する。送電装置１００はさらに、アンテナ１０８と、タイマー１０９と、指示入力部１１０と、変換部１１１と、表示部１１２と、ＬＥＤ１１３と、無線通信部１１４と、記録媒体１１５とを有する。記録媒体１１５は、送電装置１００から取り外し可能であってもよい。
【００１５】
発振器１０１は、ＡＣ電源から変換部１１１を介して供給される電力で駆動し、電力送信回路１０２を制御するために用いられる周波数を発振する。なお、発振器１０１は、水晶振動子等を用いる。
【００１６】
電力送信回路１０２は、変換部１１１から供給される電力と、発振器１０１によって発振される周波数とに応じて、アンテナ１０８を介して電子機器２００に供給するための電力を生成する。電力送信回路１０２は、内部にＦＥＴ等を有し、発振器１０１によって発振される周波数に応じて、内部のＦＥＴのゲート電圧により、ソース・ドレインの端子間に流れる電流を制御することにより、電子機器２００に供給するための電力を生成する。なお、電力送信回路１０２によって生成された電力は、整合回路１０３に供給される。電力送信回路１０２は内部のＦＥＴのゲート電圧を制御することによりＦＥＴからの電力を変更することも、停止することもできる。
【００１７】
整合回路１０３は、発振器１０１によって発振される周波数に応じて、アンテナ１０８とコンデンサ容量とにより、以下の式（１）で示される共振周波数ｆで共振する共振回路である。
送電装置１００と、送電装置１００の送電の対象となる装置とが共振を行うための周波数を以下「共振周波数ｆ」と呼ぶ。
以下の式（１）は、共振周波数ｆを示すものとする。Ｌは、アンテナ１０８のインダクタンス、Ｃは整合回路１０３のキャパシタンスを示す。
ｆ＝１／｛２π（ＬＣ）1/2｝      ・・・（１）
【００１８】
なお、共振周波数ｆは、商用周波数である５０／６０Ｈｚであってもよく、１０〜数百ｋＨｚであってもよく、１０ＭＨｚ前後の周波数であってもよい。
発振器１０１によって発振される周波数が、共振周波数ｆに設定された状態で、電力送信回路１０２によって生成された電力は、整合回路１０３を介してアンテナ１０８に供給される。
【００１９】
近接無線通信部１０４は、近接無線通信を行うための通信処理回路とアンテナとで構成されるハードウェアブロックである。例えば、ＮＦＣ（Ｎｅａｒ  Ｆｉｅｌｄ  Ｃｏｍｍｕｎｉｃａｔｉｏｎ）規格、Ｂｌｕｅｔｏｏｔｈ（登録商標）規格等に準拠した通信処理を行う。ＮＦＣであればアンテナはループアンテナとなり、Ｂｌｕｅｔｏｏｔｈであればアンテナはダイポールアンテナで構成される。なお、ＮＦＣの通信の場合は、送電用のアンテナ１０８を通信に使用してもよい。
【００２０】
ＣＰＵ１０５は、ＡＣ電源と送電装置１００とが接続されている場合、ＡＣ電源から変換部１１１を介して供給される電力によって、送電装置１００の各構成要素を制御する。ＣＰＵ１０５は、第１のメモリ１０６に記憶されている１つ又は複数のプログラムを実行することによって、送電装置１００の各構成要素を制御する。ＣＰＵ１０５は、電力送信回路１０２を制御することにより電子機器２００に供給する電力を制御する。ＣＰＵ１０５は、近接無線通信部１０４と無線通信部１１４とを制御することにより、電子機器２００との通信を行う。ＣＰＵ１０５は、電子機器２００に対する機器認証の要求、充電情報を取得する要求等を、近接無線通信部１０４を制御して行う。ＣＰＵ１０５は、近接無線通信部１０４を制御することにより無線通信部１１４による接続を確立する。そして、ＣＰＵ１０５は、無線通信部１１４を制御することにより、記録媒体１１５に格納されている画像データまたは音声データを電子機器２００に送信したり、画像データまたは音声データを電子機器２００から受信したりすることができる。
【００２１】
ＣＰＵ１０５は、近接無線通信部１０４または無線通信部１１４を介し、電子機器２００に関する情報を含む機器情報と、電子機器２００の状態等を示すステータス情報とを電子機器２００から取得する。機器情報には、電子機器２００の製造者名、製品名、製品型番、製品ＩＤ、シリアル番号等が含まれる。機器情報には、電子機器２００が無線で伝送される電力を用いて無線通信部２１４によるデータ通信が可能か否かを示す情報が含まれる。ステータス情報には、電子機器２００に接続されている電池２１０の充電状態に関する情報である充電情報が含まれる。ステータス情報には、記録媒体２１１に格納されているデータが更新されているか否かを示す情報と、近接無線通信部２０４が有効であるか否かを示す情報と、無線通信部２１４が有効であるか否かを示す情報とが含まれる。ステータス情報は、記録媒体２１１の有無を示す情報と、記録媒体２１１を格納する蓋の開閉状態を示す情報と、電池２１０の有無を示す情報と、電池２１０を格納するための格納部の蓋の開閉状態を示す情報とが含まれる。
【００２２】
第１のメモリ１０６は、送電装置１００の各構成要素を制御するための１つ又は複数のプログラムと、送電装置１００の各構成要素の動作及び状態に関する情報とを格納するためのメモリである。第１のメモリ１０６は、表示部１１２に表示させるためのメニュー情報等の画像データも格納されている。
第２のメモリ１０７は、書き換え可能なメモリである。第２のメモリ１０７は、ＣＰＵ１０５のワークメモリとして動作することができる。従って、第２のメモリ１０７は、ＣＰＵ１０５で用いられる様々な情報、データ、値、パラメータ及びプログラムを記憶することができる。ＣＰＵ１０５は、電子機器２００から受信された様々な情報、データ、値及びパラメータも第２のメモリ１０７に格納することができる。
【００２３】
アンテナ１０８は、電力送信回路１０２により生成された電力を外部に出力するためのアンテナである。送電装置１００は、アンテナ１０８を介して電子機器２００に電力を供給する。
タイマー１０９は、現在の時刻、及び各構成要素で行われる動作及び処理に関する時間を計測する。タイマー１０９によって計測される時間に対する閾値は、第１のメモリ１０６にあらかじめ記録されている。
【００２４】
指示入力部１１０は、送電装置１００にユーザの指示を入力するためのユーザインターフェースを提供する。指示入力部１１０は、送電装置１００の電源をＯＮ又はＯＦＦにする電源ボタン、送電装置１００の動作モードを切り替えるモード切替ボタン等を有し、各ボタンはスイッチ、タッチパネル等により構成される。ＣＰＵ１０５は、指示入力部１１０を介して入力されたユーザの指示に従って送電装置１００を制御する。なお、指示入力部１１０は、リモートコントローラから受信した指示に応じて送電装置１００を制御するものであってもよい。
【００２５】
変換部１１１は、ＡＣ電源と送電装置１００とが接続されている場合、ＡＣ電源から供給される交流電力を直流電力に変換し、変換した直流電力を送電装置１００の各構成要素に供給する。
【００２６】
表示部１１２は、ＣＰＵ１０５によって生成された表示内容を表示する表示部である。例えば液晶や有機ＥＬ等と、これらを制御する表示制御部とで構成される。
ＬＥＤ１１３は、発光ダイオードによって構成され、ＣＰＵ１０５によって制御されることにより、近接無線通信部１０４を制御して通信を行っていること、または電力送信回路１０２を制御して電力を出力していることをユーザに通知するために発光する。
【００２７】
無線通信部１１４は、無線通信を行うための通信処理回路とアンテナとで構成される。無線通信部１１４は、例えば、無線ＬＡＮ（Ｌｏｃａｌ  Ａｒｅａ  Ｎｅｔｗｏｒｋ）規格、ＬＴＥ（Ｌｏｎｇ  Ｔｅｒｍ  Ｅｖｏｌｕｔｉｏｎ）規格等に準拠した通信処理を行うための処理ブロックである。なお、無線通信部１１４は、近接無線通信部１０４と同一の通信方式であってもよい。
【００２８】
記録媒体１１５は、画像データまたは音声データを格納することができる。フラッシュメモリまたはハードディスク装置は、記録媒体１１５の一例である。記録媒体１１５は、電子機器２００から取り外し可能であってもよい。
【００２９】
図２において、電子機器２００は、アンテナ２０１と、整合回路２０２と、整流平滑回路２０３と、近接無線通信部２０４と、ＣＰＵ（Ｃｅｎｔｒａｌ  Ｐｒｏｃｅｓｓｉｎｇ  Ｕｎｉｔ）２０５と、第１のメモリ２０６と、第２のメモリ２０７とを有する。電子機器２００はさらに、電源制御部２０８と、充電制御部２０９と、指示入力部２１２と、表示部２１３と、無線通信部２１４とを有する。電池２１０は、電子機器２００から取り外し可能であってもよい。記録媒体２１１も、電子機器２００から取り外し可能であってもよい。
【００３０】
アンテナ２０１は、送電装置１００から供給される電力を受電するためのアンテナである。電子機器２００は、アンテナ２０１を介して、送電装置１００から電力を受電して、リクエストを受信する。電子機器２００は、アンテナ２０１を介して送電装置１００を制御するためのリクエストを送信することも、送電装置１００から受信したリクエストに対応する応答及び所定の情報を送信することもできる。
【００３１】
整合回路２０２は、送電装置１００の共振周波数ｆと同じ周波数でアンテナ２０１が共振するように、インピーダンスマッチングを行うための共振回路である。整合回路２０２は、整合回路１０３と同様にコンデンサ、コイル、抵抗等を有する。整合回路２０２は、送電装置１００の共振周波数ｆと同じ周波数でアンテナ２０１が共振するようにする。整合回路２０２は、アンテナ２０１によって受電される電力を整流平滑回路２０３に供給する。整合回路２０２は、アンテナ２０１によって受電される電力の一部を交流波形のままリクエストとして近接無線通信部２０４に供給する。
【００３２】
整流平滑回路２０３は、アンテナ２０１によって受電された電力からリクエスト及びノイズを取り除き、直流電力を生成する。さらに、整流平滑回路２０３は、生成した直流電力を電源制御部２０８に供給する。なお、整流平滑回路２０３は、整流用のダイオードを有し、全波整流及び半波整流のいずれか一つにより直流電力を生成する。整流平滑回路２０３によって生成された直流電力は、電源制御部２０８に供給される。
【００３３】
近接無線通信部２０４は、近接無線通信を行うための通信処理回路とアンテナとで構成されるハードウェアブロックである。例えば、ＮＦＣ（Ｎｅａｒ  Ｆｉｅｌｄ  Ｃｏｍｍｕｎｉｃａｔｉｏｎ）規格、またはＢｌｕｅｔｏｏｔｈ規格に準拠した通信処理を行う。ＮＦＣであればアンテナはループアンテナとなり、Ｂｌｕｅｔｏｏｔｈであればアンテナはダイポールアンテナで構成される。なお、ＮＦＣの場合は、受電用のアンテナ２０１を通信に使用してもよい。ＮＦＣの場合はデータを格納するための不揮発性メモリを有するようにしてもよい。
【００３４】
ＣＰＵ２０５は、第１のメモリ２０６に記憶されている１つ又は複数のプログラムを実行することによって、電子機器２００の各構成要素を制御する。ＣＰＵ２０５は、電源制御部２０８と充電制御部２０９とを制御することにより、送電装置１００から供給される電力を電子機器２００の各構成要素に供給すると共に、電池２１０を充電する。ＣＰＵ２０５は、近接無線通信部２０４及び無線通信部２１４を制御して無線通信処理を行う。ＣＰＵ２０５は、送電装置１００からの機器認証の要求に対する応答を近接無線通信部２０４を介して送信することができ、充電情報を取得する要求に対するする応答を近接無線通信部２０４を介して送信することができる。ＣＰＵ２０５は、近接無線通信部２０４を制御することにより、無線通信部２１４が無線通信を行うための接続を確立する。そして、ＣＰＵ２０５は、無線通信部２１４を制御することにより、記録媒体２１１に格納されている画像データまたは音声データを送電装置１００に送信したり、画像データまたは音声データを送電装置１００から受信したりすることができる。
【００３５】
第１のメモリ２０６は、電子機器２００の各構成要素を制御するための１つ又は複数のプログラムと、電子機器２００の各構成要素の動作及び状態に関する情報とを格納するためのメモリである。第１のメモリ２０６には、電子機器２００に関する情報を含む機器情報も格納されている。
第２のメモリ２０７は、書き換え可能なメモリである。第２のメモリ２０７は、ＣＰＵ２０５のワークメモリとして動作することができる。従って、第２のメモリ２０７は、ＣＰＵ２０５で用いられる様々な情報、データ、値、パラメータ及びプログラムを記憶することができる。ＣＰＵ２０５は、送電装置１００から受信された様々な情報、データ、値及びパラメータも第２のメモリ２０７に格納することができる。
【００３６】
電源制御部２０８は、スイッチングレギュレータ、リニアレギュレータ等から構成され、整流平滑回路２０３または外部電源のいずれかより供給された直流の電力を充電制御部２０９及び電子機器２００の各構成要素に供給する。
【００３７】
電源制御部２０８から電力が供給される場合、充電制御部２０９は、電源制御部２０８から供給される電力によって、電池２１０を充電する。充電制御部２０９は、電子機器２００に接続されている電池２１０の充電状態を定期的に検出し、電池２１０の充電状態に関する情報である充電情報をＣＰＵ２０５に供給する。ＣＰＵ２０５は、電池２１０の充電状態に関する情報である充電情報をステータス情報の一部として第２のメモリ２０７に記録する。
【００３８】
充電情報には、電池２１０の残りの容量を示す残量情報の他に、電池２１０が満充電状態であるか否かを示す情報が含まれる。充電情報には、電池２１０の充電が開始されてから経過した時間を示す情報が含まれていてもよい。充電情報には、充電制御部２０９が定電圧充電または定電流充電を行っていることを示す情報が含まれる。充電情報には、充電制御部２０９がトリクル充電または急速充電を行っていることを示す情報が含まれる。充電情報には、電子機器２００が電池２１０に充電するのに必要な電力情報と、電池２１０の温度状態を示す情報とが含まれる。充電情報には、電子機器２００を動作させるために必要な電池２１０の残量を示す情報が含まれる。充電情報には、送電装置１００からの電力供給が停止した場合に、電池２１０の残量がどの程度下がるのかを示す情報が含まれる。充電情報には、電池２１０の充電回数、消耗の度合いまたは劣化の度合いを示す情報が含まれる。
【００３９】
電池２１０は、充電可能な二次電池であり、電子機器２００から取り外し可能である。電池２１０は、例えば、リチウムイオン電池等を有する。電池２１０は、電子機器２００の各構成要素に対して電力を供給することができる。電池２１０は電源制御部２０８を介して電力供給がされない場合、電子機器２００の各構成要素に対して電力を供給する。例えば、送電装置１００から通信時における第１の電力が低く設定されていて出力される場合には、電池２１０から電子機器２００の各構成要素に対して電力を供給する。例えば、送電装置１００からの電力供給が停止するような場合にも、電池２１０から電子機器２００の各構成要素に対して電力を供給する。電池２１０を格納するための格納部の蓋の開閉状態を示す信号は、ＣＰＵ２０５に通知される。そして、ＣＰＵ２０５は、電池２１０を格納するための格納部の蓋の開閉状態に変化があった場合、または、電池２１０の接続に変化があった場合に、第２のメモリ２０７に記録されている電子機器２００のステータス情報を更新する。
【００４０】
記録媒体２１１は、電子機器２００から取り外し可能であり、画像データまたは音声データを格納することができる。フラッシュメモリまたはハードディスク装置は、記録媒体１１５の一例である。記録媒体２１１を格納するための格納部の蓋の開閉状態を示す信号は、ＣＰＵ２０５に通知される。そして、ＣＰＵ２０５は、記録媒体２１１を格納するための格納部の蓋の開閉状態に変化があった場合、または、記録媒体２１１の接続に変化があった場合に、第２のメモリ２０７に記録されている電子機器２００のステータス情報を更新する。なお、ＣＰＵ２０５は記録媒体２１１のデータを更新する際に、ステータス情報の一つである、データ更新有無の情報を"更新あり"に変更する。ＣＰＵ２０５は記録媒体２１１のデータを送電装置１００に転送したらステータス情報の一つである、データ更新有無の情報を"更新なし"に変更する。
【００４１】
指示入力部２１２は、電子機器２００にユーザの指示を入力するためのユーザインターフェースを提供する。指示入力部２１２は、電子機器２００の電源をＯＮ又はＯＦＦにする電源ボタン、電子機器２００の動作モードを切り替えるモード切替ボタン等を有し、各ボタンはスイッチ、タッチパネル等により構成される。ＣＰＵ２０５は、指示入力部２１２を介して入力されたユーザの指示に従って電子機器２００を制御する。なお、指示入力部２１２は、リモートコントローラから受信した指示に応じて電子機器２００を制御するものであってもよい。ユーザは、表示部２１３に表示されるメニューを見ながら指示入力部２１２に指示を入力することにより、近接無線通信部２０４を有効にするか否かを選択することができる。同様に、ユーザは、表示部２１３に表示されるメニューを見ながら指示入力部２１２に指示を入力することにより、無線通信部２１４を有効にするか否かを選択することができる。無線通信部２１４の有効又は無効が選択された場合、ＣＰＵ２０５は、無線通信部２１４の有効又は無効を示すための情報を更新するために、ステータス情報を更新する。
【００４２】
表示部２１３は、液晶パネル、有機ＥＬパネル等で構成され、ＣＰＵ２０５の指示に基づいて、操作画面、撮影画像等の表示を行う。表示部２１３はバリアングル等の可動可能な形状で構成してもよく、その場合は表示部２１３の位置情報をデジタル情報に変換してＣＰＵ２０５に通知する。
【００４３】
無線通信部２１４は、無線通信を行うための通信処理回路とアンテナとで構成される。無線通信部２１４は、例えば、無線ＬＡＮ（Ｌｏｃａｌ  Ａｒｅａ  Ｎｅｔｗｏｒｋ）規格、ＬＴＥ（Ｌｏｎｇ  Ｔｅｒｍ  Ｅｖｏｌｕｔｉｏｎ）規格等に準拠した通信処理を行うための処理ブロックである。なお、無線通信部２１４は、近接無線通信部２０４と同一の通信方式であってもよい。
【００４４】
なお、アンテナ１０８及びアンテナ２０１は、ヘリカルアンテナであっても、ループアンテナであってもよく、メアンダラインアンテナ等の平面状のアンテナであってもよいものとする。
【００４５】
実施形態１において、送電装置１００は、近接無線通信部１０４及び無線通信部１１４を有しているが、どちらか一方のみを有していてもよい。電子機器２００は、近接無線通信部１０４及び無線通信部１１４を有しているが、どちらか一方のみを有していてもよい。したがって、近接無線通信部１０４で行われる処理の全てが無線通信部１１４で行われるようにしてもよく、無線通信部１１４で行われる処理の全てが近接無線通信部１０４で行われるようにしてもよい。同様に、近接無線通信部２０４で行われる処理の全てが無線通信部２１４で行われるようにしてもよく、無線通信部２１４で行われる処理の全てが近接無線通信部２０４で行われるようにしてもよい。
【００４６】
実施形態１において、送電装置１００によって行われる処理は、送電装置１００が磁界結合または磁界結合によって電子機器２００に対して無線で電力を供給するシステムにおいても適用できるものとする。同様に、実施形態１において、電子機器２００によって行われる処理は、送電装置１００が磁界結合または磁界結合によって電子機器２００に対して無線で電力を供給するシステムにおいても適用できるものとする。
実施形態１に係る無線電力伝送システムは、アンテナ１０８として電極を送電装置１００に設け、アンテナ２０１として電極を電子機器２００に設けることにより、送電装置１００が電界結合により電力を電子機器２００に供給するように構成してもよい。
実施形態１に係る無線電力伝送システムは、送電装置１００が電磁誘導によって無線で電子機器２００に電力を供給するように構成してもよい。
【００４７】
実施形態１において、送電装置１００は、電子機器２００に対して無線で電力を送信し、電子機器２００は、送電装置１００から無線で電力を受電するものとした。しかし、「無線」を「非接触」または「無接点」と言い換えてもよいものとする。
【００４８】
図３は、送電装置１００で行われる送電装置制御処理の一例を説明するためのフローチャートである。なお、この送電装置制御処理は、ＣＰＵ１０５が第１のメモリ１０６に格納されているプログラムを実行することによって制御される。
【００４９】
Ｓ３０１において、ＣＰＵ１０５は、機器検出用のコマンドを近接無線通信部１０４から電子機器２００に送信する。その後、ＣＰＵ１０５は、Ｓ３０１からＳ３０２に進む。
【００５０】
Ｓ３０２において、ＣＰＵ１０５は、電子機器２００が近くに存在するか否かを判定する。例えば、ＣＰＵ１０５は、電子機器２００が存在するか否かを、近接無線通信部１０４を介して電子機器２００から受信する応答信号によって判定する。電子機器２００が存在する場合（Ｓ３０２でＹＥＳ）、ＣＰＵ１０５は、Ｓ３０２からＳ３０３に進む。電子機器２００が存在しない場合（Ｓ３０２でＮＯ）、ＣＰＵ１０５は、Ｓ３０２からＳ３０１に戻る。
【００５１】
Ｓ３０３において、ＣＰＵ１０５は、認証処理に係る所定のコマンドを近接無線通信部１０４から電子機器２００に送信し、電子機器２００からの応答信号を近接無線通信部１０４を介して電子機器２００から受信することにより、認証処理を行う。ＣＰＵ１０５は、認証処理を完了して、Ｓ３０３からＳ３０４に進む。
【００５２】
Ｓ３０４において、ＣＰＵ１０５は、電子機器２００の機器情報及びステータス情報を取得するための要求を近接無線通信部１０４から電子機器２００に送信する。そして、ＣＰＵ１０５は、電子機器２００の機器情報とステータス情報とを、近接無線通信部１０４を介して電子機器２００から取得する。そして、ＣＰＵ１０５は、取得した電子機器２００の機器情報とステータス情報とを第２のメモリ１０７に格納し、Ｓ３０４からＳ３０５に進む。なお、Ｓ３０４において、ＣＰＵ１０５は、送電装置１００の機器情報及びステータス情報を電子機器２００に送信してもよい。
【００５３】
Ｓ３０５において、ＣＰＵ１０５は、取得した機器情報を参照することにより、電子機器２００が無線で伝送される電力を用いて無線通信部２１４によるデータ通信を行うことができるか否かを判定する。電子機器２００が無線で伝送される電力を用いて無線通信部２１４によるデータ通信を行うことができる場合（Ｓ３０５でＹＥＳ）、ＣＰＵ１０５は、Ｓ３０５からＳ３０６に進む。電子機器２００が無線で伝送される電力を用いて無線通信部２１４によるデータ通信を行うことができない場合（Ｓ３０５でＮＯ）、ＣＰＵ１０５は、Ｓ３０５からＳ３１０に進む。
【００５４】
Ｓ３０６において、ＣＰＵ１０５は、無線ＬＡＮのＷｉＦｉ  Ｄｉｒｅｃｔ等により接続を確立するためのペアリング処理を行う。ＣＰＵ１０５は、近接無線通信部１０４を制御して、電子機器２００の無線通信部２１４と通信するために無線通信部１１４で必要なＩＰアドレス、ＳＳＩＤ、パスワード、チャンネル情報等の接続情報の取得要求を電子機器２００に送信する。そして、電子機器２００から、近接無線通信部１０４を介してＩＰアドレス、ＳＳＩＤ、パスワード、チャンネル情報等の接続情報を取得する。同様に、ＣＰＵ１０５は、近接無線通信部１０４を制御し、電子機器２００に対して、無線通信部２１４で必要なＩＰアドレス、ＳＳＩＤ、パスワード、チャンネル等の接続情報を送信する。ＣＰＵ１０５は、Ｓ３０６からＳ３０７へ処理を進める。
【００５５】
Ｓ３０７において、ＣＰＵ１０５は、Ｓ３０６で取得した接続情報を使用し、無線通信部１１４を介して電子機器２００と接続を確立して通信を行う。このとき、ＣＰＵ１０５は無線通信部１１４を制御して、電子機器２００の記録媒体２１１に記録されているデータのうち、未取得のデータの取得を行い、記録媒体１１５に記録する。または、ＣＰＵ１０５は、記録媒体１１５に記録されているデータを電子機器２００に送信してもよい。その後、ＣＰＵ１０５は、Ｓ３０７からＳ３０８に進む。
【００５６】
Ｓ３０８において、ＣＰＵ１０５は、取得したステータス情報を用いて電力送信回路１０２を制御することにより、電子機器２００に必要な電力を電子機器２００に供給する。ＣＰＵ１０５は、充電情報を電子機器２００から近接無線通信部１０４を介して定期的に取得し、取得した電子機器２００を用いて電力送信回路１０２を制御する。なお、ＣＰＵ１０５は、充電情報を電子機器２００から近接無線通信部１０４を介して定期的に取得してもよいものとする。この場合、無線通信部１１４によるデータ通信と並行して電力の供給が行われることになる。その後、ＣＰＵ１０５、Ｓ３０８からＳ３０９に進む。
【００５７】
Ｓ３０９において、ＣＰＵ１０５は、無線通信処理が完了したか否かを判定する。無線通信処理が完了した場合（Ｓ３０９でＹＥＳ）、ＣＰＵ１０５は、Ｓ３０９からＳ３１１に進む。無線通信処理が完了していない場合（Ｓ３０９でＮＯ）、ＣＰＵ１０５は、Ｓ３０９からＳ３０７に戻る。
【００５８】
Ｓ３１０において、ＣＰＵ１０５は、送電処理と無線通信処理のうちのどちらを行うかを判定するための判定処理を行う。Ｓ３１０で行われる判定処理の詳細については、図４及び図５を参照して後述する。ＣＰＵ１０５は、Ｓ３１０で行われる判定処理が終了した後、Ｓ３１０からＳ３１１に進む。
【００５９】
Ｓ３１１において、ＣＰＵ１０５は、無線通信処理が完了したことを通知するための情報を表示部１１２に表示する。Ｓ３１１において、ＣＰＵ１０５は、ＬＥＤ１１３を制御して無線通信処理が完了したことをユーザに通知する。ＣＰＵ１０５は、Ｓ３１１からＳ３１２に進む。
【００６０】
Ｓ３１２において、ＣＰＵ１０５は、電子機器２００から取得した充電情報を参照することにより、電池２１０が満充電状態であるか否かを判定する。電池２１０が満充電状態であれば（Ｓ３１２でＹＥＳ）、ＣＰＵ１０５は、Ｓ３１２からＳ３１５に進む。電池２１０が満充電状態でない場合は（Ｓ３１２でＮＯ）、ＣＰＵ１０５は、Ｓ３１２からＳ３１３に進む。
【００６１】
Ｓ３１３において、ＣＰＵ１０５は、近接無線通信部１０４あるいは無線通信部１１４を制御することにより、電子機器２００に対して、電池２１０への充電に関連するハードウェア処理部以外を停止する要求を送信する。ＣＰＵ１０５は、Ｓ３１３からＳ３１４に進む。
Ｓ３１４において、ＣＰＵ１０５は、所定の時間、Ｓ３０８における処理と同様の処理を行い、Ｓ３１２に戻る。
【００６２】
Ｓ３１５において、ＣＰＵ１０５は、充電が完了したことを通知するための情報を表示部１１２に表示する。Ｓ３１５において、ＣＰＵ１０５は、ＬＥＤ１１３を制御して充電が完了したことをユーザに通知する。その後、ＣＰＵ１０５は、送電装置制御処理を終了する。
【００６３】
図４は、Ｓ３１０で行われる判定処理の一例である第１の判定処理を説明するためのフローチャートである。第１の判定処理は、送電装置１００が送電処理と無線通信処理のうちのどちらを行うかを判定するための処理である。なお、第１の判定処理は、ＣＰＵ１０５が第１のメモリ１０６に格納されているプログラムを実行することによって制御される。
【００６４】
Ｓ４０１において、ＣＰＵ１０５は、Ｓ３０４で取得した電子機器２００のステータス情報を参照することにより、記録媒体２１１に記録されているデータに更新があるか否かを判定する。記録媒体２１１に記録されているデータに更新がある場合（Ｓ４０１でＹＥＳ）、ＣＰＵ１０５は、Ｓ４０１からＳ４０２に進む。記録媒体２１１に記録されているデータに更新がない場合（Ｓ４０１でＮＯ）、ＣＰＵ１０５は、第１の判定処理を終了する。なお、記録媒体２１１に記録されているデータに更新があるか否かは、記録媒体２１１に記録されているデータと、記録媒体１１５に記録されているデータとを比較し、記録媒体１１５に記録されていないデータがある場合に、記録媒体２１１に記録されているデータに更新があると判定してもよい。
【００６５】
Ｓ４０２において、ＣＰＵ１０５は、電子機器２００のステータス情報に含まれる充電情報を参照することにより、電池２１０の残量が所定値より大きいか否かを判定する。電池２１０の残量が所定値より大きい場合（Ｓ４０２でＹＥＳ）、ＣＰＵ１０５は、Ｓ４０２からＳ４０３に進む。電池２１０の残量が所定値以下である場合（Ｓ４０２でＮＯ）、ＣＰＵ１０５は、Ｓ４０２からＳ４０６に進む。
【００６６】
Ｓ４０３において、ＣＰＵ１０５は、Ｓ３０６における処理と同様の処理を行い、Ｓ４０３からＳ４０４に進む。
Ｓ４０４において、ＣＰＵ１０５は、Ｓ３０７における処理と同様の処理を行い、Ｓ４０４からＳ４０５に進む。
Ｓ４０５において、ＣＰＵ１０５は、Ｓ３０９における処理と同様の処理を行う。無線通信処理が完了した場合（Ｓ４０５でＹＥＳ）、ＣＰＵ１０５は、第１の判定処理を終了する。無線通信処理が完了していない場合（Ｓ４０５でＮＯ）、ＣＰＵ１０５は、Ｓ４０５からＳ４０４に戻る。
【００６７】
Ｓ４０６において、ＣＰＵ１０５は、Ｓ３１２における処理と同様の処理を行う。電池２１０が満充電状態である場合（Ｓ４０６でＹＥＳ）、ＣＰＵ１０５は、Ｓ４０６からＳ４０７に進む。電池２１０が満充電状態でない場合（Ｓ４０６でＮＯ）、ＣＰＵ１０５は、Ｓ４０６からＳ４１０に進む。
【００６８】
Ｓ４０７において、ＣＰＵ１０５は、Ｓ３０６における処理と同様の処理を行う。その後、ＣＰＵ１０５は、Ｓ４０７からＳ４０８に進む。
Ｓ４０８において、ＣＰＵ１０５は、Ｓ３０７における処理と同様の処理を行い、Ｓ４０８からＳ４０９に進む。
Ｓ４０９において、ＣＰＵ１０５は、Ｓ３０９における処理と同様の処理を行う。無線通信処理が完了した場合（Ｓ４０９でＹＥＳ）、ＣＰＵ１０５は、第１の判定処理を終了する。無線通信処理が完了していない場合（Ｓ４０９でＮＯ）、ＣＰＵ１０５は、Ｓ４０９からＳ４０８に戻る。
【００６９】
Ｓ４１０において、ＣＰＵ１０５は、Ｓ３１３における処理と同様の処理を行い、Ｓ４１０からＳ４１１に進む。
Ｓ４１１において、ＣＰＵ１０５は、Ｓ３１４における処理と同様の処理を行い、Ｓ４１１からＳ４０６に進む。
【００７０】
図５は、Ｓ３１０で行われる判定処理の別の例である第２の判定処理を説明するためのフローチャートである。第２の判定処理は、送電装置１００が送電処理と無線通信処理のうちのどちらを行うかを判定するための処理である。なお、第２の判定処理は、ＣＰＵ１０５が第１のメモリ１０６に格納されているプログラムを実行することによって制御される。
【００７１】
Ｓ５０１において、ＣＰＵ１０５は、電子機器２００のステータス情報を参照することにより、無線通信部２１４が有効であるか否かを判定する。無線通信部２１４が有効である場合（Ｓ５０１でＹＥＳ）、ＣＰＵ１０５は、Ｓ５０１からＳ５０２に進む。無線通信部２１４が有効でない場合（Ｓ５０１でＮＯ）、ＣＰＵ１０５は、Ｓ５０１からＳ５０７に進む。なお、ＣＰＵ１０５は、無線通信部２１４ではなく近接無線通信部２０４が有効であるか否かで判定してもよい。
【００７２】
Ｓ５０２において、ＣＰＵ１０５は、電子機器２００のステータス情報を参照することにより、記録媒体２１１の有無を判定する。記録媒体２１１が電子機器２００に存在する場合（Ｓ５０２でＹＥＳ）、ＣＰＵ１０５は、Ｓ５０２からＳ５０３に進む。記録媒体２１１が電子機器２００に存在しない場合（Ｓ５０２でＮＯ）、ＣＰＵ１０５は、Ｓ５０２からＳ５０７に進む。
【００７３】
Ｓ５０３において、ＣＰＵ１０５は、電子機器２００のステータス情報を参照することにより、蓋が開いているか否かを判定する。記録媒体２１１を格納するための格納部の蓋が開いていない場合（Ｓ５０３でＮＯ）、ＣＰＵ１０５は、Ｓ５０３からＳ５０４に進む。記録媒体２１１を格納するための格納部の蓋が開いている場合（Ｓ５０３でＹＥＳ）、ＣＰＵ１０５は、Ｓ５０３からＳ５０７に進む。
【００７４】
Ｓ５０４において、ＣＰＵ１０５は、Ｓ３０６における処理と同様の処理を行い、Ｓ５０４からＳ５０５に進む。
Ｓ５０５において、ＣＰＵ１０５は、Ｓ３０７における処理と同様の処理を行い、Ｓ５０５からＳ５０６に進む。
Ｓ５０６において、ＣＰＵ１０５は、Ｓ３０９における処理と同様の処理を行う。無線通信処理が完了した場合（Ｓ５０６でＹＥＳ）、ＣＰＵ１０５は、第２の判定処理を終了する。無線通信処理が完了していない場合（Ｓ５０６でＮＯ）、ＣＰＵ１０５は、Ｓ５０６からＳ５０５に戻る。
【００７５】
Ｓ５０７において、ＣＰＵ１０５は、電子機器２００のステータス情報を参照することにより、電池２１０の有無を判定する。電池２１０が接続されている場合（Ｓ５０７でＹＥＳ）、ＣＰＵ１０５は、Ｓ５０７からＳ５０８に進む。電池２１０が接続されていない場合（Ｓ５０７でＮＯ）、ＣＰＵ１０５は、第２の判定処理を終了する。
【００７６】
Ｓ５０８において、ＣＰＵ１０５は、電子機器２００のステータス情報を参照することにより、電池２１０を格納するための格納部の蓋が開いているか否かを判定する。電池２１０を格納するための格納部の蓋が閉じている場合（Ｓ５０８でＹＥＳ）、ＣＰＵ１０５は、Ｓ５０８からＳ５０９に進む。電池２１０を格納するための格納部の蓋が閉じていない場合（Ｓ５０８でＮＯ）、ＣＰＵ１０５は、第２の判定処理を終了する。
【００７７】
Ｓ５０９において、ＣＰＵ１０５は、Ｓ３１２における処理と同様の処理を行う。電池２１０が満充電状態であれば（Ｓ５０９でＹＥＳ）、ＣＰＵ１０５は、第２の判定処理を終了する。電池２１０が満充電状態でない場合は（Ｓ５０９でＮＯ）、ＣＰＵ１０５は、Ｓ５０９からＳ５１０に進む。
Ｓ５１０において、ＣＰＵ１０５は、Ｓ３１３における処理と同様の処理を行い、Ｓ５１０からＳ５１１に進む。
Ｓ５１１において、ＣＰＵ１０５は、Ｓ３１４における処理と同様の処理を行い、Ｓ５１１からＳ５０９に戻る。
【００７８】
図６は、電子機器２００で行われる受電装置制御処理の一例を説明するためのフローチャートである。なお、この受電装置制御処理は、ＣＰＵ２０５が第１のメモリ２０６に格納されているプログラムを実行することによって制御される。
【００７９】
Ｓ６０１において、ＣＰＵ２０５は、近接無線通信部２０４が送電装置１００から機器検出用のコマンドを受信したか否かを判定する。機器検出用のコマンドを受信と判定した場合（Ｓ６０１でＹＥＳ）、ＣＰＵ２０５は、Ｓ６０１からＳ６０２に進む。機器検出用のコマンドを受信しない場合（Ｓ６０１でＮＯ）、ＣＰＵ２０５は、Ｓ６０１の処理を繰り返す。
【００８０】
Ｓ６０２において、ＣＰＵ２０５は、近接無線通信部２０４が機器検出用のコマンドの応答信号を送電装置１００に送信する。そして、ＣＰＵ２０５は、送電装置１００と認証処理を行う。例えば、ＣＰＵ２０５は、認証処理に係る所定のコマンドを近接無線通信部２０４を介して送電装置１００から受信し、近接無線通信部２０４を制御して応答信号を送電装置１００に送信する。ＣＰＵ２０５は、認証処理を実行した後、Ｓ６０２からＳ６０３に進む。
【００８１】
Ｓ６０３において、ＣＰＵ２０５は、電子機器２００の機器情報及びステータス情報の取得要求を、近接無線通信部２０４を介して送電装置１００から受信する。そして、この取得要求に対して、第２のメモリ２０７あるいは近接無線通信部２０４内のメモリに格納されている機器情報及びステータス情報を応答として返す。なお、送電装置１００から送電装置１００の機器情報とステータス情報とを受信するようにしてもよい。この場合、ＣＰＵ２０５は、受信した送電装置１００の機器情報及びステータス情報を第２のメモリ２０７に格納する。ＣＰＵ２０５は、送電装置１００に対して機器情報とステータス情報とを送信した後、Ｓ６０３からＳ６０４に進む。
【００８２】
Ｓ６０４において、ＣＰＵ２０５は、送電装置１００と電子機器２００との間で無線通信処理を実行するか否かを判定する。この判定は、ＣＰＵ２０５が電子機器２００の機器情報とステータス情報とに基づいて行う。送電装置１００と電子機器２００との間で無線通信処理を実行すると判定した場合（Ｓ６０４でＹＥＳ）、ＣＰＵ２０５は、Ｓ６０４からＳ６０５に進む。送電装置１００と電子機器２００との間で無線通信処理を実行しないと判定した場合（Ｓ６０４でＮＯ）、ＣＰＵ２０５は、Ｓ６０４からＳ６０６に進む。
【００８３】
Ｓ６０５において、ＣＰＵ２０５は、送電装置１００と電子機器２００との間で無線通信処理を実行するためのスレッドを生成し、無線通信処理を開始する。Ｓ６０５で行われる無線通信処理については、図７を参照して後述する。無線通信処理が終了した後、ＣＰＵ２０５は、Ｓ６０５からＳ６０６に進む。
【００８４】
Ｓ６０６において、ＣＰＵ２０５は、送電装置１００と電子機器２００との間で送電処理を実行するか否かを判定する。この判定は、ＣＰＵ２０５が電子機器２００の機器情報とステータス情報とに基づいて行う。送電装置１００と電子機器２００との間で送電処理を実行すると判定した場合（Ｓ６０６でＹＥＳ）、ＣＰＵ２０５は、Ｓ６０６からＳ６０７に進む。送電装置１００と電子機器２００との間で送電処理を実行しないと判定した場合（Ｓ６０６でＮＯ）、ＣＰＵ２０５は、受電装置制御処理を終了する。
【００８５】
Ｓ６０７において、ＣＰＵ２０５は、送電装置１００と電子機器２００との間で送電処理を実行するためのスレッドを生成し、受電処理を開始する。Ｓ６０７で行われる受電処理については、図８を参照して後述する。受電処理が終了した後、ＣＰＵ２０５は、受電装置制御処理を終了する。
【００８６】
図７は、Ｓ６０５で行われる無線通信処理の一例を説明するためのフローチャートである。なお、この無線通信処理は、ＣＰＵ２０５が第１のメモリ２０６に格納されているプログラムを実行することによって制御される。
【００８７】
Ｓ７０１において、ＣＰＵ２０５は、無線ＬＡＮ等の接続を確立するためのペアリング処理を行う。ＣＰＵ２０５は、送電装置１００からの接続情報の取得要求に対して、近接無線通信部２０４を制御し、無線通信部１１４で必要なＩＰアドレス、ＳＳＩＤ、パスワード、チャンネル等の接続情報を送信する。ＣＰＵ２０５は、近接無線通信部２０４を制御し、送電装置１００の無線通信部１１４と通信するために無線通信部２１４で必要なＩＰアドレス、ＳＳＩＤ、パスワード、チャンネル情報等の接続情報を取得する。ＣＰＵ２０５は、Ｓ７０１からＳ７０２へ処理を進める。
【００８８】
Ｓ７０２において、ＣＰＵ２０５は、Ｓ７０１で取得した接続情報を使用し、無線通信部２１４を介して送電装置１００と接続を確立して通信を行う。このとき、ＣＰＵ２０５は、記録媒体２１１に記録されているデータの中の未転送のデータを無線通信部２１４から送電装置１００に送信する。ＣＰＵ２０５は、送電装置１００の記録媒体１１５に記録されているデータを受信して記録媒体２１１に記録してもよい。その後、ＣＰＵ２０５は、Ｓ７０２からＳ７０３に進む。
【００８９】
Ｓ７０３において、ＣＰＵ２０５は、無線通信部２１４を制御し、無線通信処理が完了したか否かを判定する。無線通信処理が完了した場合（Ｓ７０３でＹＥＳ）、ＣＰＵ２０５は、Ｓ７０３からＳ７０４に進む。無線通信処理が完了していない場合（Ｓ７０３でＮＯ）、ＣＰＵ１０５は、Ｓ７０３からＳ７０２に戻る。
【００９０】
Ｓ７０４において、ＣＰＵ２０５は、無線通信処理が完了したことを通知するための情報を表示部２１３に表示する。Ｓ７０４において、ＣＰＵ２０５は、ＬＥＤを制御して無線通信処理が完了したことをユーザに通知する。ＣＰＵ２０５は、処理を終了する。
【００９１】
図８は、Ｓ６０７で行われる受電処理の一例を説明するためのフローチャートである。なお、この受電処理は、ＣＰＵ２０５が第１のメモリ２０６に格納されているプログラムを実行することによって制御される。
【００９２】
Ｓ８０１において、ＣＰＵ２０５は、近接無線通信部２０４あるいは無線通信部２１４を制御し、送電装置１００からの充電に関連するハードウェア処理部以外を停止する要求を受信したか否かを判定する。充電に関連するハードウェア処理部以外を停止する要求を受信した場合（Ｓ８０１でＹＥＳ）、ＣＰＵ２０５は、Ｓ８０１からＳ８０２に進む。充電に関連するハードウェア処理部以外を停止する要求を受信していない場合（Ｓ８０１でＮＯ）、ＣＰＵ２０５は、Ｓ８０１からＳ８０３に進む。
【００９３】
Ｓ８０２において、ＣＰＵ２０５は、電源制御部２０８を制御することにより充電に関するハードウェア処理以外を停止する。例えば、指示入力部２１２、及び表示部２１３を停止する。ＣＰＵ２０５は、Ｓ８０２からＳ８０３に進む。
【００９４】
Ｓ８０３において、ＣＰＵ２０５は、送電装置１００からの電力を、アンテナ２０１、整合回路２０２及び整流平滑回路２０３を介して、電源制御部２０８で受電する。ＣＰＵ２０５は、電源制御部２０８を制御することにより電子機器２００の各構成要素への電源供給を制御し、更に充電制御部２０９を制御して電池２１０を充電する。ＣＰＵ２０５は、充電情報を含むステータス情報を更新し、更新したステータス情報を近接無線通信部２０４あるいは無線通信部２１４から送電装置１００に送信する。ＣＰＵ２０５は、本フローチャートの処理をＳ８０３からＳ８０４に進む。
【００９５】
Ｓ８０４において、ＣＰＵ２０５は、充電制御部２０９を制御して充電情報を取得し、電池２１０が満充電状態であるか否かを判定する。電池２１０が満充電状態である場合（Ｓ８０４でＹＥＳ）、ＣＰＵ２０５は、Ｓ８０４からＳ８０５に進む。電池２１０が満充電状態でない場合（Ｓ８０４でＮＯ）、ＣＰＵ２０５は、Ｓ８０４からＳ８０１に戻る。
【００９６】
Ｓ８０５において、ＣＰＵ２０５は、近接無線通信部２０４あるいは無線通信部２１４を制御して、送電装置１００に電池２１０が満充電状態になったことを充電情報により通知する。ＣＰＵ２０５は、Ｓ８０５からＳ８０６に進む。
【００９７】
Ｓ８０６において、ＣＰＵ２０５は、充電が完了したことを通知するための情報を表示部２１３に表示する。Ｓ８０６において、ＣＰＵ２０５は、ＬＥＤを制御して充電が完了したことをユーザに通知する。ＣＰＵ２０５は、処理を終了する。
【００９８】
このように、実施形態１によれば、送電装置１００は、無線電力伝送及び無線通信の両方を行うことができ、無線電力伝送と無線通信のうちのどちらを優先的に行うかを電子機器２００（受電装置）の状態等に応じて制御することができる。
【００９９】
［実施形態２］
実施形態１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。実施形態２では、コンピュータＸを制御するためのプログラムであって、実施形態１で説明した様々な機能、処理及び方法を実現するためのプログラムを「プログラムＹ」と呼ぶ。
【０１００】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙ（非一時的）な記憶媒体である。
【符号の説明】
【０１０１】
１００  送電装置
１０２  電力送信回路
１０４  近接無線通信部
１０５  ＣＰＵ
１１４  無線通信部
２００  電子機器
２０４  近接無線通信部
２０５  ＣＰＵ
２０８  電源制御部
２１４  無線通信部
【図１】
0006632258.tif 000002
【図２】
0006632258.tif 000003
【図３】
0006632258.tif 000004
【図４】
0006632258.tif 000005
【図５】
0006632258.tif 000006
【図６】
0006632258.tif 000007
【図７】
0006632258.tif 000008
【図８】
0006632258.tif 000009